(57)【要約】  【課題】  紙箱にゴミ箱機能を持たせることにより、生じるゴミを美しく処理できるとともに、組み立ても容易な包装箱を提供する  【解決手段】  包装箱１００が開封されると開口部９ａに収納板５に連設された把手部６が延出するようになっており、この把手部６を把持して内方へと引張し、収納板５のフラップ部５ａを内方側に湾曲させることにより、収納板５、端板１１及び側板２，３に囲まれたゴミ収納空間Ｓを形成することができる。【選択図】  図５
2008087806.tif 000002
【特許請求の範囲】
【請求項１】
一枚板から組み立てられる、包装材で個別に包装された内容物を複数個収納する包装箱において、
前記包装箱は、矩形状の底板と、該底板の対向する二辺のうち少なくとも一辺に連接される収納板と、前記底板の前記収納板が連接されている辺と直交する二辺に連接される側板と、該側板のうち、一方の側板の前記底板と連続する辺に対向する辺側に連接され、中央部に開口部が設けられる天板と、該天板の前記側板と連続する辺と直交する二辺に連接される端板と、を有し、
前記包装箱が組み立てられた後、前記収納板を前記包装箱の内方へと湾曲させることにより、前記収納板、前記端板、前記両側板及び前記天板によって囲まれたゴミ収納空間が形成されることを特徴とする包装箱。
【請求項２】
前記天板に設けられた開口部は矩形状に形成されており、該開口部の前記収納板と直交する二辺には、前記収納板を湾曲状態で係止可能な係止スリットが、互いに対向するように設けられていることを特徴とする請求項１に記載の包装箱。
【請求項３】
前記両側板の前記底板と連続する辺と直交する二辺には、前記底板の前記収納板が連接された側と同じ側にそれぞれ係合片が連接され、前記収納板又は前記係合片の少なくとも一方には、切欠部が形成されており、
前記ゴミ収納空間が形成されたとき、前記収納板の上部は前記係合片の内面側に移動可能に、前記収納板の下部は前記係合片の内面側に移動不可に構成され、前記収納板が、前記係合片によって前記端板側へと付勢されていることを特徴とする請求項１に記載の包装箱。
【請求項４】
前記収納板の前記底板と連続する辺と対向する辺には、包装箱が組み立てられた際に、前記開口部内へ突出するように構成された把手部が一体形成されていることを特徴とする請求項１乃至請求項３のいずれかに記載の包装箱。
【発明の詳細な説明】
【技術分野】
【０００１】
本発明は、個別に包装されたチョコレートやガム、飴等を複数個収納して販売するための紙製の包装箱に関するものである。
【背景技術】
【０００２】
従来、一口で食べられるブロック型のチョコレートやガム、飴などの菓子は、包み紙や樹脂フィルム袋で個別に包装されたものを、紙箱内に複数個収納した状態で販売されている。そして、包み紙や樹脂フィルム袋自体、或いはガムの場合は食べ終わったものを包んだ包み紙からなるゴミは、近くにゴミ箱等の適当な捨て場所が見当たらない場合には、そのまま路上や床（駅の構内等）に捨てられたり或いはポケットに入れられたりすることが多い。特にガムの場合には、そのまま捨てられると道路や床、さらには靴の裏にくっ付いてしまい、簡単には取れない状態となり剥す作業が大変なものとなっている。また、ポケットに入れた場合には、後で捨て忘れてそのまま洗濯してしまい、衣類等を汚すことも発生している。また、元の紙箱内に入れると、まだ中身の残っている未開封のものと区別がつかなくなってしまう。
【０００３】
上記のような事態を防ぐために、従来、商品に別体のゴミ袋をセットすることが一部で行われている。しかし、上記のように別のゴミ袋を商品にセットすることはなかなか難しく、また開封後はゴミ袋をどこかに入れて持ち歩かなければならず、ともすると結局ゴミ扱いされて捨てられることになるという問題点があった。
【０００４】
そこで、個別に包装された菓子を収納する外箱にゴミを収納する部分を設ける方法が提案されており、例えば特許文献１には、角筒状の紙箱の一端に物を押し込む時のみ開口し、それ以外は閉鎖状態となる反動蓋部を設け、内部にはスライド可能な分離板を設けてゴミを収納可能とした菓子用紙箱が開示されている。また、紙箱にゴミ入れを設けた例としては、紙箱内を仕切り板で２室に分け、一方をゴミ収納用としたティッシュペーパー収納箱が開示されている。
【０００５】
しかしながら、特許文献１の方法では、一端から内容物を順次取り出す角筒状の紙箱には適用できるものの、例えば上面を開封して中身を取り出すタイプの紙箱には適用できず、菓子用紙箱全般に応用できるものではなかった。また、特許文献１〜３の構成では、紙箱本体とは別個に仕切り板を設ける必要があるため、組み立て作業性の低下や紙箱のコストアップに繋がるという問題点があった。
【特許文献１】特開平６−１３５４３６号公報
【特許文献２】特開昭５３−１１３６８１号公報
【特許文献３】実開平５−６１０８１号公報
【発明の開示】
【発明が解決しようとする課題】
【０００６】
本発明は上記問題点に鑑み、紙箱にゴミ箱機能を持たせることにより、生じるゴミを美しく処理できるとともに、組み立ても容易な包装箱を提供することを目的としている。
【課題を解決するための手段】
【０００７】
上記目的を達成するために本発明は、一枚板から組み立てられる、包装材で個別に包装された内容物を複数個収納する包装箱において、前記包装箱は、矩形状の底板と、該底板の対向する二辺のうち少なくとも一辺に連接される収納板と、前記底板の前記収納板が連接されている辺と直交する二辺に連接される側板と、該側板のうち、一方の側板の前記底板と連続する辺に対向する辺側に連接され、中央部に開口部が設けられる天板と、該天板の前記側板と連続する辺と直交する二辺に連接される端板と、を有し、前記包装箱が組み立てられた後、前記収納板を前記包装箱の内方へと湾曲させることにより、前記収納板、前記端板、前記両側板及び前記天板によって囲まれたゴミ収納空間が形成されることを特徴としている。
【０００８】
また本発明は、上記構成の包装箱において、前記天板に設けられた開口部は矩形状に形成されており、該開口部の前記収納板と直交する二辺には、前記収納板を湾曲状態で係止可能な係止スリットが、互いに対向するように設けられていることを特徴としている。
【０００９】
また本発明は、上記構成の包装箱において、前記両側板の前記底板と連続する辺と直交する二辺には、前記底板の前記収納板が連接された側と同じ側にそれぞれ係合片が連接され、前記収納板又は前記係合片の少なくとも一方には、切欠部が形成されており、前記ゴミ収納空間が形成されたとき、前記収納板の上部は前記係合片の内面側に移動可能に、前記収納板の下部は前記係合片の内面側に移動不可に構成され、前記収納板が、前記係合片によって前記端板側へと付勢されていることを特徴としている。
【００１０】
また本発明は、上記構成の包装箱において、前記収納板の前記底板と連続する辺と対向する辺には、包装箱が組み立てられた際に、前記開口部内へ突出するように構成された把手部が一体形成されていることを特徴としている。
【発明の効果】
【００１１】
本発明の第１の構成によれば、形成されたゴミ収納空間に内容物を個別に包装する包装材等のゴミを収納することにより、包装材等を散逸することなく美しく処理することができ、内容物を全て取り出し開封した後、包装箱と共に一度に廃棄できるため効率的である。また、未開封の内容物と開封済みの包装材とが包装箱内部で混在しないため、未開封の内容物を容易に区別することができる。更に、ゴミ収納空間を形成するための収納板は、組み立て前に包装箱に一体形成されているため、ゴミ収納空間を形成するための部材を別途必要とせず、部品点数が削減できる。
【００１２】
また、本発明の第２の構成によれば、上記第１の構成の包装箱において、収納板を係止することにより、ゴミ収納空間が形成された状態を維持することができるため、包装材等のゴミのゴミ収納空間への収納が容易になる。
【００１３】
また、本発明の第３の構成によれば、上記第１の構成の包装箱において、係合片の弾性力によって収納板が外方へと付勢されるため、ゴミ収納空間に収納された包装材等のゴミは、端板と収納板とによって挟持され容易に脱落しないようになる。
【００１４】
また本発明の第４の構成によれば、上記第１乃至第３のいずれかの構成の包装箱において、把手部を用いることによって、ゴミ収納空間を容易に形成することができる。
【発明を実施するための最良の形態】
【００１５】
以下、図面を参照しながら本発明の実施形態を説明する。先ず、図１を参照して、本発明の第１実施形態に係る包装箱１００の構成について説明する。図１は本発明の第１実施形態に係る包装箱の展開図である。なお、図１において、長方形状の底板１の一辺方向（図１においては短辺方向）をＹ軸方向、それと直交する方向（図１においては長辺方向）をＸ軸方向と称することにする。
【００１６】
図１に示すように、包装箱１００は、一枚の紙から打ち抜き加工によって形成されるものであり、長方形状の底板１のＹ軸方向両端縁には折り線を介して側板２，３が連設されている。これらの側板２，３のＸ軸方向の長さは、底板１のＸ軸方向の長さと同等に形成され、それぞれのＹ軸方向の長さは互いに略同一となるように形成されている。また、側板２には、Ｘ軸方向略中央部に切込部２ａが設けられている。なお、切込部２ａのＸ軸方向の全長は、後述する差込部１４ｂを差し込むことができるよう、差込部１４ｂのＸ軸方向の長さよりも若干長くなるように形成されている。
【００１７】
また、底板１の一方のＸ軸方向端縁には、折り線を介して端板４が連設されている。この端板４のＹ軸方向の長さは底板１のＹ軸方向の長さと略同一に形成され、Ｘ軸方向の長さは、前述した側板２，３のＹ軸方向の長さよりも若干短くなるように形成されている。更に、底板１の他方のＸ軸方向端縁には、フラップ部５ａ及び拡張部５ｂから構成された収納板５が折り線を介して連設されており、この収納板５の底板１と連続する辺に対向する辺には半円形状の把手部６が連設されている。
【００１８】
収納板５を構成するフラップ部５ａ及び拡張部５ｂのＹ軸方向の長さは、底板１のＹ軸方向の長さと略同一に形成されており、フラップ部５ａのＸ軸方向の長さは側板２，３のＹ軸方向の長さと略同一に形成され、拡張部５ｂのＸ軸方向の長さは、後述する天板９における開口部９ａのＸ軸方向端縁から、天板９と端板１１との間に設けられた折り線までの最短距離よりも若干短くなるように形成されている。更に、フラップ部５ａのＹ軸方向両端縁には、三角形状の切欠部５ｃが形成されている。
【００１９】
側板２，３には、底板１において端板４が連設されている側（図１において右側）のＸ軸方向端縁に、それぞれ舌片７が折り線を介して連設されており、底板１において収納板５が連設されている側（図１において左側）のＸ軸方向端縁に、それぞれ係合片８が折り線を介して連設されている。この係合片８のＸ軸方向の長さＬ１は、前述した収納板５に形成された切欠部５ｃの最も深く切欠いた部分の深さＬ２よりも、若干短くなるように形成されている。
【００２０】
側板２の底板１と連続する辺に対向する辺には、折り線を介して天板９が連設されている。この天板９は、Ｘ軸方向の長さは側板２のＸ軸方向の長さと略同一に、Ｙ軸方向の長さは底板１のＹ軸方向の長さと略同一に形成されており、その中央部には開口部９ａが形成されている。天板９のＸ軸方向両端縁には、折り線を介して端板１０，１１が連設されている。これらの端板１０，１１は、Ｙ軸方向の長さが天板９のＹ軸方向の長さと略同一となるように、Ｘ軸方向の長さが側板２，３のＹ軸方向の長さと略同一となるように形成されている。更に、この天板９の側板２と連続する辺に対向する辺には、折り線を介して舌片１２が連設されている。
【００２１】
側板３の底板１と連続する辺に対向する辺には、蓋板１３及び外側板１４がそれぞれ折り線を介して順に連設されている。これらのＸ軸方向の長さは、側板３のＸ軸方向の長さと略同一に形成されており、また、これらのＹ軸方向の長さは、蓋板１３は底板１のＹ軸方向の長さと略同一に形成されており、外側板１４は側板３のＹ軸方向の長さと略同一に形成されている。更に、外側板１４にはミシン目１４ａが設けられており、このミシン目１４ａを破断させると差込部１４ｂが形成されるようになっている。
【００２２】
続いて、図１〜図５を参照して、第１実施形態に係る包装箱１００の組立及び開封について説明する。図２は組立途中の全体斜視図であり、側板と収納板との接着部を図示している。図３は組立後の全体斜視図であり、図４は開封後の状態を示す全体斜視図であり、図５はゴミ収納空間を形成した状態を示す全体斜視図である。なお、各図において共通する部分には同一の符号を付している。
【００２３】
先ず、側板２，３を、底板１との間の折り線に沿って垂直（図１の紙面表側）に屈曲させる。このとき、側板２，３に連設された舌片７及び係合片８も折り線に沿って垂直に折り曲げて、これらの舌片７及び係合片８が側板２，３の内面側に延出するようにする。次いで、底板１に連設された端板４と収納板５を折り線に沿って垂直（図１の紙面表側）に屈曲させて、舌片７及び係合片８の外面側に端板４及び収納板５が配置されるようにする。
【００２４】
そして、底板１上に所定量の内容物（図示せず）を載置した後、側板２に連設された天板９を底板１に対向するように折り線に沿って垂直（図１の上方向）に折り曲げる。なお、このとき、収納板５の拡張部５ｂ及び把手部６は、フラップ部５ａと拡張部５ｂとの間の折り線を屈曲し内面側に向けて屈曲させておき、天板９の下面側に配置されるようにする。更に、舌片１２を天板９の下方に向けて屈曲し、その外面側を側板３の内面側に接着し、天板９に連設された端板１０，１１を天板９の下方に向けて屈曲させて、端板１０，１１をそれぞれ端板４及び収納板５の外面側に接着する。
【００２５】
ここで、端板１１を収納板５の外面側に接着する際には、図２に示すように、接着部１５ａが、収納板５に形成された切欠部５ｃの最も深く切欠かれた部分よりも下方に位置するように接着しなければならない。より好ましくは、接着部１５ａを端板１１の先端部、すなわち、収納板５のフラップ部５ａの下端部とする。なお、舌片１２と側板３との接着部及び端板１０と端板４との接着部については、特に注意する必要がないため、これらの接着部については記載を省略する。
【００２６】
最後に側板３に連設された蓋板１３を、天板９の上面側に位置するように折り線に沿って垂直（図１の下方向）に折り曲げ、更に蓋板１３に連設された外側板１４を、蓋板１３の下方に向けて屈曲させ、外側板１４に設けられたミシン目１４ａのＹ軸方向外側二箇所に設けられた接着部１５ｂにより側板２の外面側に接着する。このようにして、図３のような包装箱１００が組み立てられる。
【００２７】
そして、包装箱１００を開封し内容物を取り出すときは、側板２に接着されていない外側板１４の中央部を把持して上方に引き上げることにより、ミシン目１４ａが破断され、これにより、図４に示すように天板９の開口部９ａが露出して内容物の取り出しが可能となる。なお、内容物を所定量取り出した後は、蓋板１３で開口部９ａを覆い、ミシン目１４ａの破断により形成された差込部１４ｂを切込部２ａに差し込むことにより、蓋板１３を係止できるようになっている。
【００２８】
以上のように構成された包装箱１００では、図４に示すように、包装箱１００が開封された際に、収納板５に連設された把手部６が開口部９ａに延出するようになっており、この把手部６を把持して内方へと引っ張り、収納板５のフラップ部５ａを内方側に湾曲させることにより、図５に示すように、収納板５、天板９、端板１１及び側板２，３に囲まれたゴミ収納空間Ｓを形成することができるようになっている。
【００２９】
以下、図６及び図７を参照して、ゴミ収納空間Ｓの形成について説明する。図６はごみ収納空間形成を説明するための収納板及び側板に注目した部分斜視図であり、図７は図４に１点鎖線Ａで示す位置で切断した断面図（矢視Ａ−Ａ線断面図）であり、図６及び図７において、（ａ）は把手部引張前、（ｂ）はゴミ収納空間収納形成途中、（ｃ）はゴミ収納空間形成後の状態をそれぞれ図示している。なお、図６においては、説明の便宜上、収納板５、係合片８、底板１及び側板３のみを図示している。
【００３０】
収納板５は、包装箱１００を形成する際に係合片８の外面側に配置されているため、フラップ部５ａが係合片８と当接し収納板５が内方側へと傾斜することが防止され、図６（ａ）及び図７（ａ）に示すように、底板１に対して垂直となるようになっている。これにより、上述したように、底板１上に所定量の内容物（図示せず）を載置する際に収納板５が邪魔になることがなく、また、内容物が収納された包装箱１００を運搬した際に、収納板５が傾斜して内容物が片寄ってしまうこともない。
【００３１】
そして、包装箱１００を開封した後、開口部９ａに延出している把手部６を把持して内方（図６において右下方向、図７において右方向）へと引張すると、収納板５のフラップ部５ａは端板１１との接着部１５ａの上端部から湾曲する。この時、フラップ部５ａの切欠部５ｃの最も深く切欠いた部分よりも上方のフラップ上部５ｄが、係合片８の上端部に当接するため、図６（ｂ）及び図７（ｂ）に示すように、係合片８が一時的に弾性変形する。
【００３２】
この状態から更にフラップ部５ａを湾曲させていき、フラップ部５ａが所定の位置まで湾曲されると、係合片８の上端部が更に変形してほぼ側板２，３に沿うようになり、フラップ上部５ｄが、両係合片８の上端部の間を通過して係合片８の内面側に移動する。これによって、フラップ部５ａを更に湾曲させることが可能となり、図６（ｃ）及び図７（ｃ）に示すように、フラップ部５ａを更に湾曲させ、フラップ部５ａと拡張部５ｂとの間の折り線を広げることによって、ゴミ収納空間Ｓが形成される。
【００３３】
このようにして形成されたゴミ収納空間Ｓに内容物を個別に包装する包装材等のゴミを収納することにより、包装材等を散逸することなく美しく処理することができ、内容物を全て取り出し開封した後、包装箱１００と共に一度に廃棄できるため効率的である。また、未開封の内容物と開封済みの包装材とが包装箱内部で混在しないため、未開封の内容物を容易に区別することができる。更に、図３のようにゴミ収納空間Ｓは包装箱１００を開封する前は外から見えないため、デザイン的にも優れたものとなる。
【００３４】
また、ゴミ収納空間Ｓを形成するための収納板５は、組み立て前に包装箱１００に一体形成されているため、ゴミ収納空間Ｓを形成するための部材を別途必要とせず、部品点数が削減できる。更に、収納板５に、包装箱１００が組み立てられた際に天板９の開口部９ａへと延出するように構成された把手部６を連設したことにより、この把手部６を把持して容易にフラップ部５ａを湾曲させることができる。
【００３５】
また、ゴミ収納空間Ｓを形成する際には、フラップ上部５ｄは両係合片８の上端部の間を通過して係合片８の内面側に移動しているが、フラップ部５ａの切欠部５ｃの最も深く切欠いた部分よりも下方のフラップ下部５ｅは、両係合片８の間を通過して係合片８の内面側に移動しないよう構成されている。
【００３６】
そのため、ゴミ収納空間Ｓ形成時には、係合片８はフラップ下部５ｅによって弾性変形された状態となっており、把手部６の引張を解放すると係合片８が自己の弾性により元の位置に復帰し、この弾性力によってフラップ下部５ｅが端板１１側へと付勢され、収納板５が底板１に対して垂直の状態に復帰するようになるため、ゴミ収納空間Ｓに収納された包装材等のゴミは、端板１１と収納板５とによって挟持され容易に脱落しないようになる。
【００３７】
なお、収納板５のフラップ部５ａに設けられる切欠部５ｃは、三角形状でなくとも台形状や半円形状に形成しても良く、また、係合片８は、フラップ上部５ｄ及びフラップ下部５ｅと当接するように形成されていれば、三角形状や台形状に形成しても良い。更に、本実施形態では、フラップ部５ａに切欠部５ｃを設けたが、これは図８に示すように、係合片８に切欠部８ａを設けても、本実施形態と同様の効果を得ることができる。ただし、この場合には、係合片８による付勢力を維持するため、切欠部８ａは係合片８のＹ軸方向の長さよりも短く形成し、その分フラップ部５ａのＸ軸方向の長さも短く形成しておくことが好ましい。さらに、フラップ部５ａと係合片８の両方に切欠部を設けても良い。
【００３８】
次に、図９及び図１０を参照して、本発明の第２実施形態に係る包装箱１００について説明する。図９は本発明の第２実施形態に係る包装箱の展開図であり、図１０は収納板を係止スリットに係合した状態を示す全体斜視図である。なお、第１実施形態と共通する部分には同一の符号を付し、組み立て及び開封手順については第１実施形態と同様であるため説明は省略する。
【００３９】
本実施形態に係る包装箱１００では、図９に示すように、天板９に設けられる開口部９ａは矩形状に形成されており、開口部９ａのＹ軸方向両側端に互いに対向するように係止スリット９ｂが設けられており、収納板５を構成する拡張部５ｂは、係止スリット９ｂに係合させることができるよう、そのＹ軸方向の長さＬ３が、開口部９ａのＹ軸方向の長さＬ４よりも長く、且つ、Ｙ軸方向に対向して設けられた係止スリット９ｂの一方の係止スリット９ｂの外側端から、他方の係止スリット９ｂの外側端までの距離Ｌ５よりも短く形成されている。
【００４０】
以上のように構成された包装箱１００では、第１実施形態と同様に組み立てられ、開封された後、ゴミ収納空間Ｓを形成した際に、図１０に示すように、収納板５の拡張部５ｂを、天板９に設けられた係止スリット９ｂに係合させることにより、収納板５を係止させることができる。
【００４１】
これにより、第１実施形態と同様に内容物を個別に包装する包装材等のゴミを美しく収納することができ、一度に廃棄できるため効率的である。また、未開封の内容物と開封済みの包装材とが包装箱内部で混在しないため、未開封の内容物を容易に区別することができる。更に、ゴミ収納空間Ｓが形成された状態を維持することができるため、包装材等のゴミをゴミ収納空間Ｓへと収納しやすくなる。
【００４２】
なお、第２実施形態においては、収納板５は天板９に設けられた係止スリット９ｂによって係止されるよう構成されているため、第１実施形態のように、係合片９によって端板１１側へと押圧され、底板１に対して垂直の状態に復帰するような構成は要しないので、フラップ下部５ｄは切欠いてしまっていても構わない。
【００４３】
その他本発明は、上記実施形態に限定されず、本発明の趣旨を逸脱しない範囲で種々の変更が可能である。例えば、第１及び第２実施形態においては、蓋板１３及び外側板１４を有する包装箱１００を例に挙げて説明したが、これらの蓋板及び外側板を有さない包装箱にも適用することができる。また、上記第１及び第２実施形態では、底板１の一方のＸ軸方向端縁にのみ収納板５を連接し、組み立て後の包装箱１００に形成されるゴミ収納空間Ｓは一箇所であるが、これは底板１のＸ軸方向両端縁に収納板５を連接して、ゴミ収納空間Ｓが２箇所形成されるように構成しても良い。また、包装箱本体の形状や大きさについても特に制限はなく、上述したような平直方体状のものに代えて、縦長状の包装箱にも適用することもできる。
【産業上の利用可能性】
【００４４】
本発明は、個別に包装されたチョコレートやガム、飴等を複数個収納して販売するための紙製の包装箱に利用することができる。
【図面の簡単な説明】
【００４５】
【図１】は、本発明の第１実施形態に係る包装箱の展開図である。
【図２】は、第１実施形態の包装箱の側板と収納板との接着部を示す組立途中の全体斜視図である。
【図３】は、第１実施形態の包装箱の組立後の全体斜視図である。
【図４】は、第１実施形態の包装箱の開封後の状態を示す全体斜視図である。
【図５】は、第１実施形態の包装箱のゴミ収納空間を形成した状態を示す全体斜視図である。
【図６】は、ゴミ収納空間形成を説明するための収納板及び側板に注目した部分斜視図である。
【図７】は、図４に１点鎖線Ａで示す位置で切断した断面図（矢視Ａ−Ａ線断面図）である。
【図８】は、第１実施形態の包装箱の他の構成を示す展開図である。
【図９】は、本発明の第２実施形態に係る包装箱の斜視図である。
【図１０】は、収納板を係止スリットに係合した状態を示す全体斜視図である。
【符号の説明】
【００４６】
１        底板
２，３，  側板
４，１０，１１  端板
５        収納板
５ａ      フラップ部
５ｂ      拡張部
５ｃ      切欠部
５ｄ      フラップ上部
５ｅ      フラップ下部
６        把手部
７，１２  舌片
８        係合片
９        天板
１３      蓋板
１４      外側板
１５ａ，１５ｂ  接着部
Ｓ        ゴミ収納空間
【図１】
2008087806.tif 000003
【図２】
2008087806.tif 000004
【図３】
2008087806.tif 000005
【図４】
2008087806.tif 000006
【図５】
2008087806.tif 000007
【図６】
2008087806.tif 000008
【図７】
2008087806.tif 000009
【図８】
2008087806.tif 000010
【図９】
2008087806.tif 000011
【図１０】
2008087806.tif 000012